(57)【特許請求の範囲】
【請求項１】
変速機ケース内に回転自在に軸支されると共に駆動源からの動力が伝達されて回転する入力軸を備え、該入力軸の回転を複数段に変速して出力部材から出力する自動変速機であって、
サンギヤ、キャリア及びリングギヤからなる３つの要素を夫々備える第１から第４の４つの遊星歯車機構が設けられ、
前記第１遊星歯車機構の３つの要素を、相対回転速度比を直線で表すことができる共線図におけるギヤ比に対応する間隔での並び順に夫々第１要素、第２要素及び第３要素とし、
前記第４遊星歯車機構の３つの要素を、共線図におけるギヤ比に対応する間隔での並び順に夫々第４要素、第５要素及び第６要素とし、
前記第２遊星歯車機構と前記第３遊星歯車機構との各要素で４つの回転要素を構成し、当該４つの回転要素を、共線図における並び順に夫々第１回転要素、第２回転要素、第３回転要素及び第４回転要素として、
前記第３要素と前記第３回転要素とを連結して第１連結体が構成され、前記第５要素と前記第１回転要素とを連結して第２連結体が構成され、
前記第１要素が前記入力軸に連結され、前記第６要素が前記出力部材に連結され、
係合機構として、
前記第２連結体を前記変速機ケースに固定自在な第１ブレーキと、
前記第２回転要素を前記変速機ケースに固定自在な第２ブレーキと、
前記第４要素を前記変速機ケースに固定自在な第３ブレーキと、
前記第２要素と前記第６要素とを連結自在な第１クラッチと、
前記第１要素と前記第２回転要素とを連結自在な第２クラッチと、
前記第１要素と前記第４回転要素とを連結自在な第３クラッチとを備え、
前記第１から第３の３つのブレーキと、前記第１から第３の３つのクラッチとの合計６つの係合機構のうち、少なくとも３つの係合機構を連結状態又は固定状態とすることにより、各変速段を確立することを特徴とする自動変速機。
【請求項２】
請求項１に記載の自動変速機において、前記第２遊星歯車機構は、前記第１遊星歯車機構の径方向外方に配置され、前記第１遊星歯車機構のリングギヤと前記第２遊星歯車機構のサンギヤとが一体に構成されることを特徴とする自動変速機。
【請求項３】
請求項１又は請求項２に記載の自動変速機において、前記第２ブレーキは、噛合機構で構成されていることを特徴とする自動変速機。
【請求項４】
請求項１から請求項３の何れか１項に記載の自動変速機において、前記第１クラッチは、噛合機構で構成されていることを特徴とする自動変速機。
【請求項５】
請求項１又は請求項２に記載の自動変速機において、前記第２ブレーキは、前記第２回転要素を変速機ケースに固定する固定状態と、前記第２回転要素の正転を許容し逆転を阻止する逆転阻止状態とに切換自在な２ウェイクラッチで構成されていることを特徴とする自動変速機。
【請求項６】
請求項１から請求項５の何れか１項に記載の自動変速機において、前記４つの遊星歯車機構は、サンギヤと、リングギヤと、該サンギヤ及び該リングギヤに噛合するピニオンを自転及び公転自在に軸支するキャリアとからなるシングルピニオン型の遊星歯車機構であることを特徴とする自動変速機。
【請求項７】
請求項１から請求項６の何れか１項に記載の自動変速機において、前記駆動源の動力を前記入力軸に伝達自在な発進クラッチを備えることを特徴とする自動変速機。
【請求項８】
請求項１から請求項６の何れか１項に記載の自動変速機において、前記駆動源の動力は、トルクコンバータを介して前記入力軸に伝達されることを特徴とする自動変速機。
【発明の詳細な説明】
【技術分野】
【０００１】
変速機ケース内に回転自在に軸支されると共に駆動源からの動力が伝達されて回転する入力軸を備え、入力軸の回転を複数段に変速して出力部材から出力する自動変速機に関する。
【背景技術】
【０００２】
従来、入力用の第１遊星歯車機構と変速用の第２と第３の２つの遊星歯車機構と６つの係合機構とを用いて、前進８段の変速を行うことができるようにした自動変速機が知られている（例えば、特許文献１参照）。
【０００３】
特許文献１のものでは、入力用の第１遊星歯車機構を、第１サンギヤと、第１リングギヤと、互いに噛合すると共に一方が第１サンギヤに噛合し他方が第１リングギヤに噛合する一対の第１ピニオンを自転及び公転自在に軸支する第１キャリアとからなる所謂ダブルピニオン型の遊星歯車機構で構成している。
【０００４】
第１遊星歯車機構は、第１サンギヤが変速機ケースに固定される固定要素、第１キャリアが入力軸に連結される入力要素、第１リングギヤが入力要素たる第１キャリアの回転速度を減速して出力する出力要素とされている。
【０００５】
又、変速用の２つの遊星歯車機構は、第２サンギヤと、第３サンギヤと、第３リングギヤと一体化された第２リングギヤと、互いに噛合すると共に一方が第２サンギヤ及び第２リングギヤに噛合し他方が第３サンギヤに噛合する一対の第２ピニオンを自転及び公転自在に軸支する第２キャリアとからなるラビニヨ型の遊星歯車機構で構成されている。
【０００６】
このラビニヨ型の遊星歯車機構は、共線図（各回転要素の相対回転速度の比を直線で表すことができる図）においてギヤ比に対応する間隔を存して順に、第１回転要素、第２回転要素、第３回転要素及び第４回転要素とすると、第１回転要素は第２サンギヤ、第２回転要素は第３キャリアと一体化された第２キャリア、第３回転要素は第３リングギヤと一体化された第２リングギヤ、第４回転要素は第３サンギヤとなる。
【０００７】
又、係合機構として、第１遊星歯車機構の出力要素たる第１リングギヤと第３サンギヤから成る第４回転要素とを解除自在に連結する第１湿式多板クラッチと、入力軸と第２キャリアから成る第２回転要素とを解除自在に連結する第２湿式多板クラッチと、出力要素たる第１リングギヤと第２サンギヤから成る第１回転要素とを解除自在に連結する第３湿式多板クラッチと、入力要素たる第１キャリアと第２サンギヤから成る第１回転要素とを解除自在に連結する第４湿式多板クラッチと、第２サンギヤから成る第１回転要素を変速機ケースに解除自在に固定する第１ブレーキと、第２キャリアから成る第２回転要素を変速機ケースに解除自在に固定する第２ブレーキとを備える。
【０００８】
以上の構成によれば、第１湿式多板クラッチと第２ブレーキとを係合することで１速段が確立され、第１湿式多板クラッチと第１ブレーキとを係合することで２速段が確立され、第１湿式多板クラッチと第３湿式多板クラッチとを係合することで３速段が確立され、第１湿式多板クラッチと第４湿式多板クラッチとを係合することで４速段が確立される。
【０００９】
又、第１湿式多板クラッチと第２湿式多板クラッチとを係合することで５速段が確立され、第２湿式多板クラッチと第４湿式多板クラッチとを係合することで６速段が確立され、第２湿式多板クラッチと第３湿式多板クラッチとを係合することで７速段が確立され、第２湿式多板クラッチと第１ブレーキとを係合することで８速段が確立される。
【先行技術文献】
【特許文献】
【００１０】
【特許文献１】特開２００５−２７３７６８号公報
【発明の概要】
【発明が解決しようとする課題】
【００１１】
上記従来例のものでは、各変速段において係合する係合機構の数が２つになる。そのため、開放している残りの４つの係合機構の引き摺りによるフリクションロスが大きくなり、自動変速機の効率が悪化する不具合がある。
【００１２】
本発明は、以上の点に鑑み、フリクションロスを低減できる自動変速機を提供することを目的とする。
【課題を解決するための手段】
【００１３】
［１］本発明は、変速機ケース内に回転自在に軸支されると共に駆動源からの動力が伝達されて回転する入力軸を備え、入力軸の回転を複数段に変速して出力部材から出力する自動変速機であって、サンギヤ、キャリア及びリングギヤからなる３つの要素を夫々備える第１から第４の４つの遊星歯車機構が設けられ、第１遊星歯車機構の３つの要素を、相対回転速度比を直線で表すことができる共線図におけるギヤ比に対応する間隔での並び順に夫々第１要素、第２要素及び第３要素とし、第４遊星歯車機構の３つの要素を、共線図におけるギヤ比に対応する間隔での並び順に夫々第４要素、第５要素及び第６要素とし、第２遊星歯車機構と第３遊星歯車機構との各要素で４つの回転要素を構成し、この４つの回転要素を、共線図における並び順に夫々第１回転要素、第２回転要素、第３回転要素及び第４回転要素として、第３要素と第３回転要素とを連結して第１連結体が構成され、第５要素と第１回転要素とを連結して第２連結体が構成され、第１要素が入力軸に連結され、第６要素が出力部材に連結され、係合機構として、第２連結体を変速機ケースに固定自在な第１ブレーキと、第２回転要素を変速機ケースに固定自在な第２ブレーキと、第４要素を変速機ケースに固定自在な第３ブレーキと、第２要素と第６要素とを連結自在な第１クラッチと、第１要素と第２回転要素とを連結自在な第２クラッチと、第１要素と第４回転要素とを連結自在な第３クラッチとを備え、第１から第３の３つのブレーキと、第１から第３の３つのクラッチとの合計６つの係合機構のうち、少なくとも３つの係合機構を連結状態又は固定状態とすることにより、各変速段を確立することを特徴とする。
【００１４】
本発明によれば、後述する実施形態の説明から明らかなように、３つのブレーキと３つのクラッチの合計６つの係合機構のうち、各変速段において３つの係合機構が係合して連結状態又は固定状態となる。そのため、各変速段で開放している係合機構の数は３となり、従来のように各変速段で４つの係合機構が開放されるものに比べ、開放している係合機構によるフリクションロスを低減できる。
【００１５】
［２］本発明においては、第２遊星歯車機構を第１遊星歯車機構の径方向外方に配置し、第１遊星歯車機構のリングギヤと第２遊星歯車機構のサンギヤとを一体に構成することが好ましい。
【００１６】
これによれば、第２遊星歯車機構が第１遊星歯車機構の径方向外方に配置されるため、自動変速機の軸長を短縮することができ、車両、特にＦＦ（フロントエンジン・フロントドライブ）式の車両への搭載性を向上させることができる。
【００１７】
［３］本発明においては、第２ブレーキを噛合機構で構成することが好ましい。これによれば、第２ブレーキが開放状態となる変速段において、第２ブレーキたる噛合機構でのフリクションロスを抑制させることができる。このため、自動変速機全体として、フリクションロスをより低減させることができる。
【００１８】
［４］本発明においては、第１クラッチを噛合機構で構成することが好ましい。これによれば、第１クラッチが開放状態となる変速段において、第１クラッチたる噛合機構でのフリクションロスを抑制させることができる。このため、自動変速機全体として、フリクションロスをより低減させることができる。
【００１９】
［５］本発明において、第２ブレーキは、第２回転要素を変速機ケースに固定する固定状態と、第２回転要素の正転を許容し逆転を阻止する逆転阻止状態とに切換自在な２ウェイクラッチで構成することもできる。これによっても、フリクションロスをより低減できると共に、変速制御性を向上させることができる。
【００２０】
［６］本発明においては、４つの遊星歯車機構は、サンギヤと、リングギヤと、サンギヤ及びリングギヤに噛合するピニオンを自転及び公転自在に軸支するキャリアとからなる所謂シングルピニオン型の遊星歯車機構であることが好ましい。
【００２１】
これによれば、遊星歯車機構を、サンギヤと、リングギヤと、互いに噛合すると共に一方がサンギヤに噛合し他方がリングギヤに噛合する一対のピニオンを自転及び公転自在に軸支するキャリアとからなる所謂ダブルピニオン型の遊星歯車機構で構成した場合に比べ、入力軸から出力部材までの動力伝達経路におけるギヤの噛合回数を減少させることができ、伝達効率を向上させることができる。
【００２２】
［７］本発明においては、駆動源の動力を入力軸に伝達自在な発進クラッチを設けてもよい。
【００２３】
［８］本発明においては、駆動源の動力を、トルクコンバータを介して入力軸に伝達させるように構成してもよい。
【図面の簡単な説明】
【００２４】
【図１】本発明の自動変速機の実施形態のスケルトン図。
【図２】実施形態の遊星歯車機構の共線図。
【図３】（ａ）は実施形態の各変速段における係合機構の状態を纏めて示す説明図。（ｂ）は実施形態の各変速段のギヤレシオの一例を示す説明図。（ｃ）は実施形態の各変速段の公比の一例を示す説明図。（ｄ）は実施形態の各遊星歯車機構のギヤ比及び自動変速機のレシオレンジの一例を示す説明図。
【図４】２ウェイクラッチの一例を示す断面図。
【発明を実施するための形態】
【００２５】
図１は、本発明の実施形態の自動変速機の上半分を示している。本実施形態の自動変速機は、変速機ケース１内に回転自在に軸支した入力軸２と、入力軸２と同心に配置された出力ギヤからなる出力部材３とを備えている。出力部材３の回転は、図外のデファレンシャルギヤやプロペラシャフトを介して車両の左右の駆動輪に伝達される。
【００２６】
入力軸２は、駆動源としてのエンジンＥＮＧの動力がトルクコンバータＴＣを介して伝達されて回転する。
【００２７】
トルクコンバータＴＣは、動力の伝達媒体として流体を用いる流体式トルクコンバータであり、エンジンＥＮＧから入力軸２へ直接動力を伝達自在なロックアップクラッチＬＣを備える。ロックアップクラッチＬＣを締結しているときには、エンジンＥＮＧのトルク変動が入力軸２に伝達されてしまう。このため、ねじりダンパ装置ＤＡを設け、このねじりダンパ装置ＤＡの弾性力によってエンジンＥＮＧのトルク変動を吸収できるようにしている。
【００２８】
又、変速機ケース１内には、第１遊星歯車機構ＰＧＳ１と第２遊星歯車機構ＰＧＳ２と第３遊星歯車機構ＰＧＳ３と第４遊星歯車機構ＰＧＳ４とが入力軸２と同心に配置されている。
【００２９】
第１遊星歯車機構ＰＧＳ１は、サンギヤＳａと、リングギヤＲａと、サンギヤＳａとリングギヤＲａとに噛合するピニオンＰａを自転及び公転自在に軸支するキャリアＣａとから成る所謂シングルピニオン型の遊星歯車機構で構成されている。
【００３０】
図２の上段に示す第１遊星歯車機構ＰＧＳ１の共線図（各要素の相対回転速度の比を直線で表すことができる図）を参照して、第１遊星歯車機構ＰＧＳ１の３つの要素Ｓａ，Ｃａ，Ｒａを、共線図におけるギヤ比に対応する間隔での並び順に左側から夫々第１要素、第２要素及び第３要素とすると、第１要素はサンギヤＳａ、第２要素はキャリアＣａ、第３要素はリングギヤＲａになる。
【００３１】
ここで、サンギヤＳａとキャリアＣａ間の間隔とキャリアＣａとリングギヤＲａ間の間隔との比は、第１遊星歯車機構ＰＧＳ１のギヤ比（リングギヤの歯数／サンギヤの歯数）をｈとして、ｈ：１に設定される。尚、共線図において、下の横線と上の横線は夫々回転速度が「０」と「１」（入力軸２と同じ回転速度）であることを示している。
【００３２】
第４遊星歯車機構ＰＧＳ４は、第１遊星歯車機構ＰＧＳ１と同様に、サンギヤＳｄと、リングギヤＲｄと、サンギヤＳｄとリングギヤＲｄとに噛合するピニオンＰｄを自転及び公転自在に軸支するキャリアＣｄとから成る所謂シングルピニオン型の遊星歯車機構で構成されている。
【００３３】
図２の中段に示す第４遊星歯車機構ＰＧＳ４の共線図を参照して、第４遊星歯車機構ＰＧＳ４の３つの要素Ｓｄ，Ｃｄ，Ｒｄを、共線図におけるギヤ比に対応する間隔での並び順に左側から夫々第４要素、第５要素及び第６要素とすると、第４要素はサンギヤＳｄ、第５要素はキャリアＣｄ、第６要素はリングギヤＲｄになる。サンギヤＳｄとキャリアＣｄ間の間隔とキャリアＣｄとリングギヤＲｄ間の間隔との比は、第４遊星歯車機構ＰＧＳ４のギヤ比をｋとして、ｋ：１に設定される。
【００３４】
第２遊星歯車機構ＰＧＳ２は、第１と第４の２つの遊星歯車機構ＰＧＳ１，ＰＧＳ４と同様に、サンギヤＳｂと、リングギヤＲｂと、サンギヤＳｂとリングギヤＲｂとに噛合するピニオンＰｂを自転及び公転自在に軸支するキャリアＣｂとから成る所謂シングルピニオン型の遊星歯車機構で構成されている。
【００３５】
第３遊星歯車機構ＰＧＳ３は、第１と第２と第４の３つの遊星歯車機構ＰＧＳ１，ＰＧＳ２，ＰＧＳ４と同様に、サンギヤＳｃと、リングギヤＲｃと、サンギヤＳｃとリングギヤＲｃとに噛合するピニオンＰｃを自転及び公転自在に軸支するキャリアＣｃとから成る所謂シングルピニオン型の遊星歯車機構で構成されている。
【００３６】
又、第２遊星歯車機構のＰＧＳ２のキャリアＣｂと第３遊星歯車機構ＰＧＳ３のリングギヤＲｃとが連結され、第２遊星歯車機構のＰＧＳ２のサンギヤＳｂと第３遊星歯車機構ＰＧＳ３のキャリアＣｃとが連結されている。これにより、第２及び第３の遊星歯車機構で、４つの回転要素が構成されている。
【００３７】
図２の下段に示す第２及び第３の遊星歯車機構による４つの回転要素の共線図を参照して、各回転要素を共線図におけるギヤ比に対応する間隔での並び順に左側から夫々第１回転要素Ｙ１、第２回転要素Ｙ２、第３回転要素Ｙ３、第４回転要素Ｙ４とすると、第１回転要素Ｙ１は第２遊星歯車機構ＰＧＳ２のリングギヤＲｂ、第２回転要素Ｙ２は第２遊星歯車機構ＰＧＳ２のキャリアＣｂ及び第３遊星歯車機構ＰＧＳ３のリングギヤＲｃ、第３回転要素Ｙ３は第２遊星歯車機構ＰＧＳ２のサンギヤＳｂ及び第３遊星歯車機構ＰＧＳ３のキャリアＣｃ、第４回転要素Ｙ４は第３遊星歯車機構ＰＧＳ３のサンギヤＳｃとなる。
【００３８】
第２遊星歯車機構ＰＧＳ２のギヤ比をｉ、第３遊星歯車機構ＰＧＳ３のギヤ比をｊとすると、第１〜第４の各回転要素間の間隔は、１：ｉ：ｉｊの割り合いとなっている。
【００３９】
第１遊星歯車機構ＰＧＳ１のリングギヤＲａ（第３要素）と第３回転要素Ｙ３とが連結されて、第１連結体Ｒａ−Ｙ３が構成されている。又、第４遊星歯車機構ＰＧＳ４のキャリアＣｄ（第５要素）と第１回転要素Ｙ１とが連結されて、第２連結体Ｃｄ−Ｙ１が構成されている。第１遊星歯車機構ＰＧＳ１のサンギヤＳａ（第１要素）は入力軸２に連結されている。第４遊星歯車機構ＰＧＳ４のリングギヤＲｄ（第６要素）は出力部材３に連結されている。
【００４０】
又、本実施形態の自動変速機は、係合機構として、第１から第３の３つのブレーキＢ１〜Ｂ３と、第１から第３の３つのクラッチＣ１〜Ｃ３とを備える。
【００４１】
第１ブレーキＢ１及び第３ブレーキＢ３は湿式多板ブレーキで構成され、第２ブレーキＢ２は噛合機構としてのドグクラッチで構成されている。又、第１クラッチＣ１は噛合機構としてのドグクラッチで構成され、第２クラッチＣ２及び第３クラッチＣ３は湿式多板クラッチで構成されている。
【００４２】
第１ブレーキＢ１は、第２連結体Ｃｄ−Ｙ１を変速機ケース１に固定する固定状態と、この固定を解除する開放状態とに切換自在に構成されている。第２ブレーキＢ２は、第２回転要素Ｙ２を変速機ケース１に固定する固定状態と、この固定を解除する開放状態とに切換自在に構成されている。第３ブレーキＢ３は、第４遊星歯車機構ＰＧＳ４のサンギヤＳｄ（第４要素）を変速機ケース１に固定する固定状態と、この固定を解除する開放状態とに切換自在に構成されている。
【００４３】
第１クラッチＣ１は、第１遊星歯車機構ＰＧＳ１のキャリアＣａ（第２要素）と第４遊星歯車機構ＰＧＳ４のリングギヤＲｄ（第６要素）とを連結する連結状態と、この連結を断つ開放状態とに切換自在に構成されている。第２クラッチＣ２は、第１遊星歯車機構ＰＧＳ１のサンギヤＳａ（第１要素）と第２回転要素Ｙ２とを連結する連結状態と、この連結を断つ開放状態とに切換自在に構成されている。第３クラッチＣ３は、第１遊星歯車機構ＰＧＳ１のサンギヤＳａ（第１要素）と第４回転要素Ｙ４とを連結する連結状態と、この連結を断つ開放状態とに切換自在に構成されている。
【００４４】
各係合機構Ｂ１〜Ｂ３，Ｃ１〜Ｃ３は、図外のトランスミッション・コントロール・ユニットにより状態が切り換えられる。
【００４５】
変速機ケース１内には、入力軸２の軸線上に、エンジンＥＮＧ及びトルクコンバータＴＣ側から、第２クラッチＣ２、第３クラッチＣ３、第３遊星歯車機構ＰＧＳ３、第１遊星歯車機構ＰＧＳ１、第３ブレーキＢ３、出力部材３、第４遊星歯車機構ＰＧＳ４、第１クラッチＣ１の順番で配置されている。
【００４６】
又、第２遊星歯車機構ＰＧＳ２は、第１遊星歯車機構ＰＧＳ１の径方向外方に配置されており、第１遊星歯車機構ＰＧＳ１のリングギヤＲａ（第３要素）と第２遊星歯車機構ＰＧＳ２のサンギヤＳｂとが一体に構成されている。これにより、第１遊星歯車機構ＰＧＳ１と第２遊星歯車機構ＰＧＳ２とが径方向に重なり合うため、第１遊星歯車機構ＰＧＳ１と第２遊星歯車機構ＰＧＳ２とを軸方向に並べて配置した場合に比べ、自動変速機の軸長の短縮化を図ることができ、車両、特に所謂ＦＦ式の車両への搭載性を向上させることができる。
【００４７】
尚、第１遊星歯車機構ＰＧＳ１と第２遊星歯車機構ＰＧＳ２とは、径方向で少なくとも一部が重なり合っていればよく、これによって軸長の短縮化を図ることができるが、両者が完全に径方向で重なり合っていれば、最も軸長を短くすることができる。
【００４８】
変速機ケース１内には、出力部材３と第３ブレーキＢ３との間に位置させて、径方向内方に延びる側壁１ａが設けられている。この側壁１ａには、出力部材３の径方向内方に向かって延びる筒状部１ｂが設けられている。出力部材３は、この筒状部１ｂにベアリングを介して軸支されている。このように構成することにより、変速機ケース１に連なる機械的強度の高い筒状部１ｂで出力部材３をしっかりと軸支させることができる。
【００４９】
本実施形態の自動変速機では、１速段を確立する場合には、第２ブレーキＢ２及び第３ブレーキＢ３を固定状態にすると共に、第１クラッチＣ１を連結状態にする。第２ブレーキＢ２を固定状態にすることで、第２回転要素Ｙ２の回転速度が「０」となる。又、第３ブレーキＢ３を固定状態にすることで、第４遊星歯車機構ＰＧＳ４のサンギヤＳｄ（第４要素）の回転速度が「０」となる。
【００５０】
そして、第１クラッチＣ１を連結状態にすることで、第１遊星歯車機構ＰＧＳ１のキャリアＣａ（第２要素）と第４遊星歯車機構ＰＧＳ４のリングギヤＲｄ（第６要素）とが同一速度で回転する。そして、出力部材３に連結された第４遊星歯車機構ＰＧＳ４のリングギヤＲｄ（第６要素）の回転速度は、図２に示す「１ｓｔ」となって、１速段が確立される。
【００５１】
２速段を確立する場合には、第１ブレーキＢ１及び第２ブレーキＢ２を固定状態にすると共に、第１クラッチＣ１を連結状態にする。第１ブレーキＢ１及び第２ブレーキＢ２を固定状態にすることで、第１回転要素Ｙ１と第２回転要素Ｙ２の回転速度が共に「０」となる。このため、第１〜第４の４つの回転要素Ｙ１〜Ｙ４が相対回転不能なロック状態となり、第１連結体Ｒａ−Ｙ３の回転速度が「０」となる。
【００５２】
そして、入力軸２に連結された第１遊星歯車機構ＰＧＳ１のサンギヤＳａ（第１要素）の回転速度は「１」であるため、第１遊星歯車機構ＰＧＳ１のキャリアＣａ（第２要素）の回転速度が「１／（ｈ＋１）」となる。又、第１クラッチＣ１を連結状態にすることで、第１遊星歯車機構ＰＧＳ１のキャリアＣａ（第２要素）と第４遊星歯車機構ＰＧＳ４のリングギヤＲｄ（第６要素）とが同一速度で回転する。従って、出力部材３に連結された第４遊星歯車機構ＰＧＳ４のリングギヤＲｄ（第６要素）の回転速度は、「１／（ｈ＋１）」となって、２速段が確立される。
【００５３】
３速段を確立する場合には、第２ブレーキＢ２を固定状態にすると共に、第１クラッチＣ１及び第３クラッチＣ３を連結状態にする。第３クラッチＣ３を連結状態にすることで、第４回転要素Ｙ４の回転速度が「１」となる。又、第２ブレーキＢ２を固定状態にすることで、第２回転要素Ｙ２の回転速度が「０」となる。
【００５４】
そして、第１クラッチＣ１を連結状態にすることで、第１遊星歯車機構ＰＧＳ１のキャリアＣａ（第２要素）と第４遊星歯車機構ＰＧＳ４のリングギヤＲｄ（第６要素）とが同一速度になる。従って、出力部材３に連結された第４遊星歯車機構ＰＧＳ４のリングギヤＲｄ（第６要素）の回転速度は、「（ｈ＋ｊ＋１）／｛（ｈ＋１）・（ｊ＋１）｝」となって、３速段が確立される。
【００５５】
４速段を確立する場合には、第１ブレーキＢ１を固定状態にすると共に、第１クラッチＣ１及び第３クラッチＣ３を連結状態にする。第３クラッチＣ３を連結状態にすることで、第４回転要素Ｙ４の回転速度が「１」となる。又、第１ブレーキＢ１を固定状態にすることで、第２連結体Ｃｄ−Ｙ１の回転速度が「０」となる。
【００５６】
そして、第１クラッチＣ１を連結状態にすることで、第１遊星歯車機構ＰＧＳ１のキャリアＣａ（第２要素）と第４遊星歯車機構ＰＧＳ４のリングギヤＲｄ（第６要素）とが同一速度になる。従って、出力部材３に連結された第４遊星歯車機構ＰＧＳ４のリングギヤＲｄ（第６要素）の回転速度は、「（ｈｉ＋ｉｊ＋ｈ＋ｉ＋１）／（ｈｉｊ＋ｈｉ＋ｉｊ＋ｈ＋ｉ＋１）」となって、４速段が確立される。
【００５７】
５速段を確立する場合には、第３ブレーキＢ３を固定状態にすると共に、第１クラッチＣ１及び第３クラッチＣ３を連結状態にする。第３クラッチＣ３を連結状態にすることで、第４回転要素Ｙ４の回転速度が「１」となる。又、第３ブレーキＢ３を固定状態にすることで、第４遊星歯車機構ＰＧＳ４のサンギヤＳｄ（第４要素）の回転速度が「０」となる。
【００５８】
そして、第１クラッチＣ１を連結状態にすることで、第１遊星歯車機構ＰＧＳ１のキャリアＣａ（第２要素）と第４遊星歯車機構ＰＧＳ４のリングギヤＲｄ（第６要素）とが同一速度になる。従って、出力部材３に連結された第４遊星歯車機構ＰＧＳ４のリングギヤＲｄ（第６要素）の回転速度は、「［｛（ｈ＋１）・（ｉ＋１）＋ｉｊ｝・（ｋ＋１）］／［｛（ｈ＋１）・（ｉ＋１）＋ｉｊ｝・（ｋ＋１）＋ｈｉｊ］」となって、５速段が確立される。
【００５９】
６速段を確立する場合には、第１クラッチＣ１、第２クラッチＣ２及び第３クラッチＣ３を連結状態にする。第２クラッチＣ２及び第３クラッチＣ３を連結状態にすることで、第２回転要素Ｙ２及び第４回転要素Ｙ４の回転速度が「１」となる。このため、第１〜第４の４つの回転要素Ｙ１〜Ｙ４が相対回転不能なロック状態となり、第１連結体Ｒａ−Ｙ３の回転速度が「１」となる。
【００６０】
そして、入力軸２に連結された第１遊星歯車機構ＰＧＳ１のサンギヤＳａ（第１要素）の回転速度は「１」であるため、第１遊星歯車機構ＰＧＳ１の第１〜第３の３つの要素Ｓａ，Ｃａ，Ｒａが相対回転不能なロック状態となり、第１〜第３要素Ｓａ，Ｃａ，Ｒａが「１」で回転する。又、第１クラッチＣ１を連結状態にすることで、第１遊星歯車機構ＰＧＳ１のキャリアＣａ（第２要素）と第４遊星歯車機構ＰＧＳ４のリングギヤＲｄ（第６要素）とが同一速度で回転する。従って、出力部材３に連結された第４遊星歯車機構ＰＧＳ４のリングギヤＲｄ（第６要素）の回転速度は、「１」となって、６速段が確立される。
【００６１】
７速段を確立する場合には、第３ブレーキＢ３を固定状態にすると共に、第１クラッチＣ１及び第２クラッチＣ２を連結状態にする。第２クラッチＣ２を連結状態にすることで、第２回転要素Ｙ２の回転速度が「１」となる。又、第３ブレーキＢ３を固定状態にすることで、第４遊星歯車機構ＰＧＳ４のサンギヤＳｄ（第４要素）の回転速度が「０」となる。
【００６２】
そして、第１クラッチＣ１を連結状態にすることで、第１遊星歯車機構ＰＧＳ１のキャリアＣａ（第２要素）と第４遊星歯車機構ＰＧＳ４のリングギヤＲｄ（第６要素）とが同一速度になる。従って、出力部材３に連結された第４遊星歯車機構ＰＧＳ４のリングギヤＲｄ（第６要素）の回転速度は、「｛（ｋ＋１）・（ｈｉ＋ｈ＋１）｝／｛ｋ・（ｈｉ＋ｈ＋１）＋ｈ＋１｝」となって、７速段が確立される。
【００６３】
８速段を確立する場合には、第３ブレーキＢ３を固定状態にすると共に、第２クラッチＣ２及び第３クラッチＣ３を連結状態にする。第２クラッチＣ２及び第３クラッチＣ３を連結状態にすることで、第２回転要素Ｙ２及び第４回転要素Ｙ４の回転速度が「１」となる。このため、第１〜第４の４つの回転要素Ｙ１〜Ｙ４が相対回転不能なロック状態となり、第２連結体Ｃｄ−Ｙ１の回転速度が「１」となる。
【００６４】
そして、第３ブレーキＢ３を固定状態にすることで、第４遊星歯車機構ＰＧＳ４のサンギヤＳｄ（第４要素）の回転速度が「０」となる。従って、出力部材３に連結された第４遊星歯車機構ＰＧＳ４のリングギヤＲｄ（第６要素）の回転速度は、「（ｋ＋１）／ｋ」となって、８速段が確立される。
【００６５】
後進段を確立する場合には、第２ブレーキＢ２及び第３ブレーキＢ３を固定状態にすると共に、第３クラッチＣ３を連結状態にする。第３クラッチＣ３を連結状態にすることで、第４回転要素Ｙ４の回転速度が「１」となる。又、第２ブレーキＢ２を固定状態にすることで、第２回転要素Ｙ２の回転速度が「０」となる。このため、第２連結体Ｃｄ−Ｙ１の回転速度が「−１／｛ｉ・（ｊ＋１）｝」となる（尚、マイナスは逆転方向の回転であることを示している）。
【００６６】
そして、第３ブレーキＢ３を固定状態にすることで、第４遊星歯車機構ＰＧＳ４のサンギヤＳｄ（第４要素）の回転速度が「０」となる。従って、出力部材３に連結された第４遊星歯車機構ＰＧＳ４のリングギヤＲｄ（第６要素）の回転速度は、「−（ｋ＋１）／｛ｉｋ・（ｊ＋１）｝」となって、後進段が確立される。
【００６７】
尚、図２中の点線で示す速度線は、４つの遊星歯車機構ＰＧＳ１〜ＰＧＳ４のうち動力伝達する遊星歯車機構に追従して他の遊星歯車機構の各要素が回転することを表している。
【００６８】
図３（ａ）は、上述した各変速段における第１〜第３の３つのブレーキＢ１〜Ｂ３、第１〜第３の３つのクラッチＣ１〜Ｃ３の状態を纏めて表示した図であり、第１〜第３の３つのブレーキＢ１〜Ｂ３及び第１〜第３の３つのクラッチＣ１〜Ｃ３の欄の「○」は固定状態又は連結状態であることを表している。
【００６９】
又、図３（ｂ）は、図３（ｄ）に示すように、第１遊星歯車機構ＰＧＳ１のギヤ比ｈを２．０４３、第２遊星歯車機構ＰＧＳ２のギヤ比ｉを１．３７１、第３遊星歯車機構ＰＧＳ３のギヤ比ｊを３．１８１、第４遊星歯車機構ＰＧＳ４のギヤ比ｋを１．７２５とした場合の各変速段のギヤレシオ（入力軸２の回転速度／出力部材３の回転速度）を示す。これによれば、図３（ｃ）に示される公比（各変速段間のギヤレシオの比）が適切になると共に、図３（ｄ）に示すレシオレンジ（１速段のギヤレシオ／８速段のギヤレシオ）も適切になる。
【００７０】
本実施形態の自動変速機によれば、前進８段及び後進１段の変速を行うことができる。又、各変速段でフリクションロスが発生する係合機構の数は３つになり、従来のように各変速段で４つの係合機構がフリクションロスを発生させるものに比べ、開放している係合機構によるフリクションロスを低減でき、自動変速機の伝達効率が向上する。
【００７１】
又、本実施形態では、本発明の第２ブレーキＢ２を噛合機構たるドグクラッチで構成しているため、第２ブレーキＢ２を湿式多板ブレーキで構成する場合に比べ、第２ブレーキＢ２が開放状態となる４速段から８速段において、第２ブレーキＢ２たるドグクラッチでのフリクションロスが発生しない。このため、自動変速機全体として、フリクションロスをより低減させることができる。
【００７２】
又、本実施形態では、本発明の第１クラッチＣ１を噛合機構たるドグクラッチで構成しているため、第１クラッチＣ１を湿式多板クラッチで構成する場合に比べ、第１クラッチＣ１がフリクションロスが発生する開放状態となる８速段及び後進段において、第１クラッチＣ１としてのドグクラッチでのフリクションロスが発生しない。このため、自動変速機全体として、フリクションロスをより低減させることができる。
【００７３】
又、本実施形態においては、第１〜第４の４つの遊星歯車機構ＰＧＳ１〜ＰＧＳ４を所謂シングルピニオン型の遊星歯車機構で構成している。このため、第１〜第４の４つの遊星歯車機構ＰＧＳ１〜ＰＧＳ４をサンギヤと、リングギヤと、互いに噛合すると共に一方がサンギヤに噛合し他方がリングギヤに噛合する一対のピニオンを自転及び公転自在に軸支するキャリアとからなる所謂ダブルピニオン型の遊星歯車機構で構成されるものに比べ、ギヤの噛合回数を減少させることができ、伝達効率を向上させることができる。
【００７４】
尚、本実施形態においては、第２ブレーキＢ２として、ドグクラッチを用いたが、これに限らず、第２ブレーキＢ２を同期機能を有する噛合機構たるシンクロメッシュ機構で構成してもよい。これによっても、湿式多板クラッチで構成した場合に比べ、フリクションロスを抑えることができる。
【００７５】
又、第２ブレーキＢ２を湿式多板クラッチで構成しても、各変速段における開放数を３つ以下にできるという本発明の効果を得ることができる。
【００７６】
又、本実施形態においては、第１クラッチＣ１として、ドグクラッチを用いたが、これに限らず、第１クラッチＣ１を同期機能を有する噛合機構たるシンクロメッシュ機構で構成してもよい。これによっても、湿式多板クラッチで構成した場合に比べ、フリクションロスを抑えることができる。
【００７７】
又、第１クラッチＣ１を湿式多板クラッチで構成しても、各変速段における開放数を３つ以下にできるという本発明の効果を得ることができる。
【００７８】
又、第１実施形態では、第２ブレーキＢ２を、第２回転要素Ｙ２を変速機ケース１に固定する固定状態と、第２回転要素Ｙ２の正転を許容し逆転を阻止する逆転阻止状態とに切換自在な２ウェイクラッチで構成してもよい。この２ウェイクラッチの一例を図４に示して具体的に説明する。
【００７９】
図４の第２ブレーキＢ２としての２ウェイクラッチＴＷは、第２回転要素Ｙ２に連結されるインナーリングＴＷ１と、インナーリングＴＷ１の径方向外方に間隔を存して配置されると共に変速機ケース１に連結されるアウターリングＴＷ２と、インナーリングＴＷ１とアウターリングＴＷ２との間に配置される保持リングＴＷ３とを備える。
【００８０】
インナーリングＴＷ１には、外周面に複数のカム面ＴＷ１ａが形成されている。保持リングＴＷ３には、カム面ＴＷ１ａに対応させて複数の切欠孔ＴＷ３ａが設けられている。この切欠孔ＴＷ３ａには、ローラＴＷ４が収容されている。又、２ウェイクラッチＴＷは、図示省略した第１の電磁クラッチ及び第２の電磁クラッチを備える。
【００８１】
第１の電磁クラッチは、通電されることによりアウターリングＴＷ２と保持リングＴＷ３とを連結するように構成されている。第１の電磁クラッチが通電されていない場合には、保持リングＴＷ３は、インナーリングＴＷ１及びアウターリングＴＷ２に対して相対回転自在となるように構成されている。
【００８２】
又、第２の電磁クラッチは、図４（ｂ）に示すように切欠孔ＴＷ３ａがカム面ＴＷ１ａの一方の端部に位置する状態で保持リングＴＷ３をインナーリングＴＷ１に連結させる第１の状態と、図４（ｃ）に示すように切欠孔ＴＷ３ａがカム面ＴＷ１ａの他方の端部に位置する状態で保持リングＴＷ３をインナーリングＴＷ１に連結させる第２の状態と、保持リングＴＷ３とインナーリングＴＷ１との連結を断つ第３の状態とに切換自在となるように構成される。
【００８３】
又、ローラＴＷ４の径は、図４（ａ）に示すように、ローラＴＷ４がカム面ＴＷ１ａの中央部に存するときは隙間Ａが開き、図４（ｂ）及び（ｃ）に示すように、ローラＴＷ４がカム面ＴＷ１ａの端部に存するときにはインナーリングＴＷ１及びアウターリングＴＷ２に接触するように、設定されている。
【００８４】
第１の電磁クラッチが通電されている場合には、保持リングＴＷ３は、アウターリングＴＷ２を介して変速機ケース１に固定されることとなる。この場合、インナーリングＴＷ１が正転及び逆転のどちらに回転しようとしても、図４（ｂ）及び（ｃ）に示すように、保持リングＴＷ３が固定されているため、ローラＴＷ４がカム面ＴＷ１ａの端部に位置することとなる。このとき、ローラＴＷ４がカム面ＴＷ１ａとアウターリングＴＷ２の内周面とに挟まれて、インナーリングＴＷ１の回転が阻止される。即ち、２ウェイクラッチＴＷは固定状態となる。
【００８５】
第１の電磁クラッチが通電されていない場合には、保持リングＴＷ３が自由に回転することができるため、図４（ａ）に示すように、ローラＴＷ４はカム面ＴＷ１ａの中央部に位置し続けることができる。従って、第１の電磁クラッチが通電されていない場合には、インナーリングＴＷ１が自由に回転することができる状態となる。図４における時計回り方向を逆転方向とすると、この２ウェイクラッチＴＷは、第１の電磁クラッチを通電させず、アウターリングＴＷ２と保持リングＴＷ３との連結を断ち、インナーリングＴＷ１が自由に回転することができる状態とし、第２の電磁クラッチを第１の状態とすることにより、逆転阻止状態とすることができる。
【００８６】
以上の如く、固定状態と逆転阻止状態とに切換自在な２ウェイクラッチＴＷを構成することができる。
【００８７】
このような２ウェイクラッチＴＷで第２ブレーキＢ２を構成した場合には、２ウェイクラッチＴＷを、４速段から８速段までの前進段では逆転阻止状態とし、１速段から３速段までの前進段及び後進段では固定状態とすることで、各変速段を確立できる。この場合、３速段で走行中において、走行速度等の車両情報に基づいて４速段へのアップシフトが予測される場合には、図外のトランスミッション・コントロール・ユニットは、第２ブレーキＢ２としての２ウェイクラッチＴＷを予め逆転阻止状態に切り換えておくようにすることが好ましい。
【００８８】
これによれば、３速段から４速段にアップシフトする際には、第２ブレーキＢ２たる２ウェイクラッチＴＷの状態の切り換えは完了しており、第１ブレーキＢ１を連結状態とするだけで４速段に変速できるため、３速段から４速段へのアップシフトをスムーズに行うことができる。従って、第２ブレーキＢ２を、ドグクラッチで構成したものに比べ、２ウェイクラッチＴＷで構成したものの方が、自動変速機の変速制御性が向上される。
【００８９】
上述した２ウェイクラッチＴＷで第２ブレーキＢ２を構成すれば、摩擦係合型のブレーキで第２ブレーキＢ２を構成する場合とは異なり、第２ブレーキＢ２でのフリクションロスは発生しない。従って、第２ブレーキＢ２を噛合機構で構成した場合と同様に、自動変速機全体として、フリクションロスを抑制させることができる。
【００９０】
更には、第２ブレーキＢ２としての２ウェイクラッチＴＷは、上述した固定状態と逆転阻止状態とに加えて、第２回転要素Ｙ２の正転を許容し逆転を阻止する逆転阻止状態と、第２回転要素Ｙ２の正転を阻止し逆転を許容する正転阻止状態とにも切換自在に構成してもよい。上述した２ウェイクラッチＴＷにおいて、第１の電磁クラッチを通電させず、インナーリングＴＷ１が自由に回転することができる状態とし、第２の電磁クラッチを第２の状態とすることにより、正転阻止状態となる。
【００９１】
又、本実施形態の自動変速機では、前進８段及び後進１段の変速段を確立可能にしているが、例えば、２速段及び３速段を省略して、前進６段及び後進１段の変速段を確立可能な自動変速機としてもよい。この場合にも、各変速段における開放数を３つ以下にできるという本発明の効果を得ることができる。
【００９２】
又、本実施形態では、エンジンＥＮＧの動力をトルクコンバータＴＣを介して入力軸２に伝達しているが、トルクコンバータＴＣに代えて、摩擦板による係合によって動力を伝達自在な単板型又は多板型の発進クラッチを用いてもよい。
【符号の説明】
【００９３】
１…変速機ケース、２…入力軸、３…出力部材、ＥＮＧ…エンジン（駆動源）、ＴＣ…トルクコンバータ、ＤＡ…ねじりダンパ装置、ＬＣ…ロックアップクラッチ、ＰＧＳ１…第１遊星歯車機構、Ｓａ…サンギヤ（第１要素）、Ｃａ…キャリア（第２要素）、Ｒａ…リングギヤ（第３要素）、Ｐａ…ピニオン、ＰＧＳ２…第２遊星歯車機構、Ｓｂ…サンギヤ、Ｃｂ…キャリア、Ｒｂ…リングギヤ、Ｐｂ…ピニオン、ＰＧＳ３…第３遊星歯車機構、Ｓｃ…サンギヤ、Ｃｃ…キャリア、Ｒｃ…リングギヤ、Ｐｃ…ピニオン、ＰＧＳ４…第４遊星歯車機構、Ｓｄ…サンギヤ（第４要素）、Ｃｄ…キャリア（第５要素）、Ｒｄ…リングギヤ（第６要素）、Ｐｄ…ピニオン、Ｙ１〜Ｙ４…第１〜第４回転要素、Ｂ１〜Ｂ３…第１〜第３ブレーキ、Ｃ１〜Ｃ３…第１〜第３クラッチ、ＴＷ…２ウェイクラッチ。
【図１】
0005362684.tif 000002
【図２】
0005362684.tif 000003
【図３】
0005362684.tif 000004
【図４】
0005362684.tif 000005